(57)【要約】【課題】  受信ＲＦ識別信号強化の装置の提供。【解決手段】  被検出物のＲＦ識別信号を受信し並びに該ＲＦ識別信号をカードリーダーに出力するアンテナと、金属板であって、建築物の出入り口に置かれ、且つ該金属板と被検出物が該アンテナの二側に置かれる、上記金属板と、を具えている。第１金属板と第２金属板が形成する夾角は３０度角から１８０度角である。該ＲＦ識別信号の作業周波数は超高周波帯或いはマイクロ波帯とされ、金属板がカードリーダーに結合されて増益が高いアンテナ発射システムが形成され、ＲＦＩＤタグと共同で通信接続を形成する時、信号受信能力を強化し並びに微小信号の遺漏を防止し、信号の増益強化の効果を達成する。【選択図】        図２
2006191516.tif 000002
【特許請求の範囲】
【請求項１】
受信ＲＦ識別信号強化の装置において、
被検出物のＲＦ識別信号を受信し並びに該ＲＦ識別信号をカードリーダーに出力するアンテナと、
金属板であって、建築物の出入り口に置かれ、且つ該金属板と被検出物が該アンテナの二側に置かれる、上記金属板と、
を具えたことを特徴とする、受信ＲＦ識別信号強化の装置。
【請求項２】
請求項１記載の受信ＲＦ識別信号強化の装置において、金属板が第１金属板と第２金属板で組成されたことを特徴とする、受信ＲＦ識別信号強化の装置。
【請求項３】
請求項１記載の受信ＲＦ識別信号強化の装置において、金属板が第１金属板と第２金属板で組成され、第１金属板と第２金属板が３０度角から１８０度角の夾角を形成することを特徴とする、受信ＲＦ識別信号強化の装置。
【請求項４】
請求項１記載の受信ＲＦ識別信号強化の装置において、アンテナと被検出物の間に部分反射板が置かれたことを特徴とする、受信ＲＦ識別信号強化の装置。
【請求項５】
請求項１記載の受信ＲＦ識別信号強化の装置において、アンテナが円形分極アンテナとされたことを特徴とする、受信ＲＦ識別信号強化の装置。
【請求項６】
請求項１記載の受信ＲＦ識別信号強化の装置において、アンテナがバイポーラアンテナとされたことを特徴とする、受信ＲＦ識別信号強化の装置。
【請求項７】
請求項１記載の受信ＲＦ識別信号強化の装置において、ＲＦ識別信号の作業周波数が超高周波帯とされたことを特徴とする、受信ＲＦ識別信号強化の装置。
【請求項８】
請求項１記載の受信ＲＦ識別信号強化の装置において、ＲＦ識別信号の作業周波数がマイクロ波帯とされたことを特徴とする、受信ＲＦ識別信号強化の装置。
【発明の詳細な説明】
【技術分野】
【０００１】
本発明は一種の信号受信の装置に係り、特に受信ＲＦ識別信号強化の装置に関する。
【背景技術】
【０００２】
ＲＦＩＤはタグとカードリーダーに適用され、且つ無線電波自動物品認識の技術を運用する。ＲＦＩＤ無線周波数には低周波（１２５ｋ〜１３５ｋＨｚ）、高周波（１３．５６ＭＨｚ）、超高周波（ＵＨＦ例えば８６０〜９３０ＭＨｚ）及びマイクロ波（２．４５ＧＨｚ）等の種類があり、周波数の特性の違いにより異なる種類の応用が発生する。電磁誘導方式のＲＦＩＤ、リーダーのアンテナは連続的に電磁パルスを放出し、ＲＦＩＤタグ配備のコイルアンテナは磁場を利用し電流を発生し、チップを駆動しカプリング効果（Ｃｏｕｐｌｉｎｇ  Ｅｆｆｅｃｔ）を誘発し、認証プロセスを起動し、内部に保存された情報を有効距離内にあってリーダー（Ｒｅａｄｅｒ）に伝送し、リーダーが情報を変換しエッジサーバー（Ｅｄｇｅ  Ｓｅｒｖｅｒ）に伝送して更なる情報解読及び処理を行なう。これにより、ＲＦＩＤ技術は追跡装置とされ得て、貨物管理に用いられ、貨物に特殊なスキャナの有効走査範囲を通過させることにより、ＲＦ信号を通してその所在位置を確定できる。
【０００３】
図１は周知のＲＦ識別信号受信の装置であり、貨物が建築物出入り口を通過する時、リーダー１６が組み合わされたアンテナ１５が被検出物のＲＦＩＤタグ１４が反射するＲＦ識別信号を受信し、並びにこのＲＦ識別信号をカードリーダーに出力する。被検出物のＲＦＩＤタグ１４の反射するＲＦ識別信号はパッシブ式反射されゆえに信号は非常に弱く、長い距離を伝送されるか、或いはＲＦＩＤタグ１４の貼り付けの位置が死角を形成すると、その認識率不良の情況が発生する。ゆえに認識率を高める必要がある。
【発明の開示】
【発明が解決しようとする課題】
【０００４】
本発明は一種の受信ＲＦ識別信号強化の装置を提供することを目的とし、それはアンテナ、及び金属板を具えている。このアンテナは、被検出物のＲＦ識別信号を受信し並びに該ＲＦ識別信号をカードリーダーに出力し、金属板は建築物の出入り口に置かれ、且つ被検出物とアンテナの２側に置かれ、該金属板は第１金属板と第２金属板で組成され、第１金属板と第２金属板が形成する夾角は３０度角から１８０度角である。該ＲＦ識別信号の作業周波数は超高周波帯或いはマイクロ波帯とされ、金属板がアンテナに結合されることで増益が比較的高いアンテナ発射システムが形成され、ＲＦＩＤタグアンテナと共同で通信接続を形成する時、信号受信能力を強化し並びに微小信号の遺漏を防止し、信号の増益強化の効果を達成する。
【課題を解決するための手段】
【０００５】
請求項１の発明は、受信ＲＦ識別信号強化の装置において、
被検出物のＲＦ識別信号を受信し並びに該ＲＦ識別信号をカードリーダーに出力するアンテナと、
金属板であって、建築物の出入り口に置かれ、且つ該金属板と被検出物が該アンテナの二側に置かれる、上記金属板と、
を具えたことを特徴とする、受信ＲＦ識別信号強化の装置としている。
請求項２の発明は、請求項１記載の受信ＲＦ識別信号強化の装置において、金属板が第１金属板と第２金属板で組成されたことを特徴とする、受信ＲＦ識別信号強化の装置としている。
請求項３の発明は、請求項１記載の受信ＲＦ識別信号強化の装置において、金属板が第１金属板と第２金属板で組成され、第１金属板と第２金属板が３０度角から１８０度角の夾角を形成することを特徴とする、受信ＲＦ識別信号強化の装置としている。
請求項４の発明は、請求項１記載の受信ＲＦ識別信号強化の装置において、アンテナと被検出物の間に部分反射板が置かれたことを特徴とする、受信ＲＦ識別信号強化の装置としている。
請求項５の発明は、請求項１記載の受信ＲＦ識別信号強化の装置において、アンテナが円形分極アンテナとされたことを特徴とする、受信ＲＦ識別信号強化の装置としている。
請求項６の発明は、請求項１記載の受信ＲＦ識別信号強化の装置において、アンテナがバイポーラアンテナとされたことを特徴とする、受信ＲＦ識別信号強化の装置としている。
請求項７の発明は、請求項１記載の受信ＲＦ識別信号強化の装置において、ＲＦ識別信号の作業周波数が超高周波帯とされたことを特徴とする、受信ＲＦ識別信号強化の装置としている。
請求項８の発明は、請求項１記載の受信ＲＦ識別信号強化の装置において、ＲＦ識別信号の作業周波数がマイクロ波帯とされたことを特徴とする、受信ＲＦ識別信号強化の装置としている。
【発明の効果】
【０００６】
本発明は受信ＲＦ識別信号強化の装置を提供する。本発明によると、被検出物のＲＦ識別信号を受信し並びに該ＲＦ識別信号をカードリーダーに出力するアンテナと、金属板であって、建築物の出入り口に置かれ、且つ該金属板と被検出物が該アンテナの二側に置かれる、上記金属板と、を具えている。第１金属板と第２金属板が形成する夾角は３０度角から１８０度角である。該ＲＦ識別信号の作業周波数は超高周波帯或いはマイクロ波帯とされ、金属板がカードリーダーに結合されて増益が高いアンテナ発射システムが形成され、ＲＦＩＤタグと共同で通信接続を形成する時、信号受信能力を強化し並びに微小信号の遺漏を防止し、信号の増益強化の効果を達成する。
【発明を実施するための最良の形態】
【０００７】
第１実施例：
図２は本発明の第１実施例の状態表示図である。第１金属板２１と第２金属板２２は１８０度の夾角を形成し、倉庫の出入り口１２に置かれる。貨車１３が出入り口１２を出入りする時、識別信号は貨車１３上のＲＦＩＤタグ１４より発射され、第１金属板２１及び第２金属板２２がアンテナ１５に結合されて増益が高いアンテナ発射システムを形成することにより、それとＲＦＩＤタグ１４が共同で通信リンクを形成する時、信号はカードリーダー１６に伝送され、カードリーダー１６が情報を変換しエッジサーバー１７に送り、更なる情報の解読と処理受信がなされる。コーナーリフレクター（ｃｏｒｎｅｒ  ｒｅｆｌｅｃｔｏｒ）の原理により第１金属板２１と第２金属板２２は有効にアンテナ１５の受信信号の強度を増すことができ、これにより周知の通信リンクの低増益の現象を防止できる。
【０００８】
第２実施例：
図３の本発明の第２実施例中、第１金属板２１と第２金属板２２は１８０度の夾角を形成し、部分反射板３１（ｐａｒｔｉａｌｌｙ  ｒｅｆｌｅｃｔｉｖｅ  ｓｕｒｆａｃｅ）と平行に設置され、両者はいずれも倉庫の出入り口１２部分に置かれ、アンテナが二つの平行板の間に置かれ、貨車１３が倉庫の出入り口１２を出入りし、識別信号は貨車１３のＲＦＩＤタグ１４より発射され、第１金属板２１と第２金属板２２及び部分反射板３１がアンテナ１５に結合されて増益の高いアンテナ発射システムが形成され、ＲＦＩＤタグ１４と共同で通信リンクを形成する時、信号はカードリーダー１６に送られ、部分反射板と金属板間に類似共振キャビティーの装置が形成されることにより、輻射パワー増益の効果が得られる。その後、増益された信号はアンテナ１５により受信され、それがカードリーダー１６に送られ、カードリーダー１６が更に情報を変換してエッジサーバー１７に送り、更なる情報の解読と処理に供する。
【０００９】
第３実施例：
図４の第３実施例において、第１金属板２１と第２金属板２２は３０度角から１８０度角の夾角を形成し、倉庫の出入り口１２部分に置かれ、貨車１３が倉庫の出入り口１２を出入りし、識別信号は貨車１３のＲＦＩＤタグ１４より発射され、第１金属板２１と第２金属板２２がアンテナ１５に結合されて増益の高いアンテナ発射システムが形成され、ＲＦＩＤタグ１４と共同で通信リンクを形成する時、信号はカードリーダー１６に送られ、カードリーダー１６が更に情報を変換してエッジサーバー１７に送り、更なる情報の解読と処理に供する。コーナーリフレクターの原理により、第１金属板２１と第２金属板２２は有効にアンテナ１５が受信する識別信号の強度を増すことができ、これにより周知の識別信号の低増益の現象を防止できる。
【００１０】
第４実施例：
図５の第４実施例において、第１金属板２１と第２金属板２２は３０度角から１８０度角の夾角を形成し、部分反射板３１が金属板の下方に置かれ、両者はいずれも倉庫の出入り口１２部分に置かれ、アンテナは第１金属板２１、第２金属板２２と部分反射板３１の間に置かれ、貨車１３が出入り口１２を出入りする時、識別信号は貨車１３のＲＦＩＤタグ１４より発射され、第１金属板２１と第２金属板２２及び部分反射板３１がアンテナ１５に結合されて増益の高いアンテナ発射システムが形成され、ＲＦＩＤタグ１４と共同で通信リンクを形成する時、信号はカードリーダー１６に送られ、部分反射板３１と金属間に類似共振キャビティーの装置が形成され、このメカニズムにより増益が増され、これにより輻射パワー増益の効果が達成される。増益された信号はアンテナ１５に受信された後、カードリーダー１６に送られ、カードリーダー１６が更に情報を変換しエッジサーバー１７に送り更なる情報の解読と処理に供する。
【００１１】
このほか、アンテナ１５は上述の実施例ではバイポーラアンテナ或いは円形分極アンテナとされ、受信方式は標準ＲＦＩＤタグ１４で受信される。実験により証明されたところによると、１８０度の夾角の金属板は図２、３のように、アンテナ１５が円形分極アンテナの時に増益効果が最良であり、金属板角度が３０−１８０度の時は、図４、５に示されるように、アンテナ１５がバイポーラアンテナの時増益効果が最良であった。
【図面の簡単な説明】
【００１２】
【図１】周知の信号受信の装置の状態表示図である。
【図２】本発明の第１実施例の状態表示図である。
【図３】本発明の第２実施例の状態表示図である。
【図４】本発明の第３実施例の状態表示図である。
【図５】本発明の第４実施例の状態表示図である。
【符号の説明】
【００１３】
１２  出入り口        １７  エッジサーバー
１３  貨車            ２１  第１金属板
１４  ＲＦＩＤタグ    ２２  第２金属板
１５  アンテナ        ３１  部分反射板
１６  カードリーダー
【図１】
2006191516.tif 000003
【図２】
2006191516.tif 000004
【図３】
2006191516.tif 000005
【図４】
2006191516.tif 000006
【図５】
2006191516.tif 000007